(57)【要約】【課題】ユーザの利便性低下を抑制しつつ、消費電力を低減させることができる情報端末装置を提供する。【解決手段】携帯電話機は、ディスプレイ２１と、キー操作がなされると、予め設定された規定時間ＴＲだけディスプレイ２１を点灯した後に、ディスプレイ２１を消灯するＣＰＵ１００とを備える。ＣＰＵ１００は、ディスプレイ２１を再び点灯状態に復帰されるためのキー操作の履歴に基づいて、規定時間ＴＲを設定する。たとえば、ＣＰＵ１００は、ディスプレイ２１を消灯してから予め定められた時間が経過するまでに復帰のためのキー操作が行われた頻度に応じて規定時間ＴＲを設定する。【選択図】図２
2011015166.tif 000002
【特許請求の範囲】
【請求項１】
情報端末装置において、
所定動作を行う作動部と、
操作入力がなされると、予め設定された規定時間だけ前記作動部に前記所定動作を実行させる作動制御部と、
前記規定時間を設定する時間設定部と、を備え、
前記時間設定部は、前記規定時間の経過後に前記所定動作に復帰させる操作入力に基づいて前記規定時間を設定する、
ことを特徴とする情報端末装置。
【請求項２】
請求項１に記載の情報端末装置において、
前記時間設定部は、前記規定時間が経過した後、前記所定動作に復帰させる操作入力がなされるまでの時間に関する履歴に基づいて前記規定時間を設定する、
ことを特徴とする情報端末装置。
【請求項３】
請求項２に記載の情報端末装置において、
前記作動部は表示部であり、
前記作動制御部は、前記規定時間の経過後に前記表示部の輝度を低減させるあるいは前記表示部を消灯させる、
ことを特徴とする情報端末装置。
【請求項４】
請求項３に記載の情報端末装置において、
前記時間設定部は、前記表示部の輝度が低減されあるいは前記表示部が消灯されてから予め定められた時間が経過するまでに前記復帰のための操作入力が行われた頻度に応じて前記規定時間を設定する、
ことを特徴とする情報端末装置。
【発明の詳細な説明】
【技術分野】
【０００１】
本発明は、携帯電話機やＰＤＡ（Personal Digital Assistant）、パーソナルコンピュータ等の情報端末装置に関するものである。
【背景技術】
【０００２】
従来、携帯電話機等の情報端末装置では、消費電力を低減するための種々の制御が行われている。たとえば、ユーザによりキー操作が行われた後、次のキー操作がそのまま行わなければ、ディスプレイの輝度を低減させたり、ディスプレイを消灯したりする制御が行われている。
【０００３】
キー操作が行われた後ディスプレイが消灯等されるまでの時間、即ちディスプレイの点灯時間が短いほど、消費電力の低減につながる。その反面、点灯時間が短いと、ユーザが少しの間キー操作を中断しただけでディスプレイが消灯等してしまいやすくなる。このため、ディスプレイを復帰させるためのキー操作を頻繁に行わなければならなくなり、ユーザの利便性が低下してしまう。
【０００４】
そこで、情報端末装置において、ユーザの利便性を考慮すべく、たとえば、電話モード、スケジュールモード等の各種モードに応じてディスプレイの点灯時間を設定するような構成が採られ得る（特許文献１参照）。
【先行技術文献】
【特許文献】
【０００５】
【特許文献１】特開２００２−３５７６８３号公報
【発明の概要】
【発明が解決しようとする課題】
【０００６】
しかしながら、ユーザに利便性の悪さを感じさせないために必要な点灯時間は、そのときの操作入力の状況によって変わり得るものであり、また、ユーザ毎の個人差によっても変わり得る。このため、上記のようにモードに応じて画一的に点灯時間が設定される構成とされても、ユーザの利便性低下の問題は十分に解消され得ない。
【０００７】
本発明は、かかる課題に鑑みてなされたものであり、ユーザの利便性低下を抑制しつつ、消費電力を低減させることができる情報端末装置を提供することを目的とする。
【課題を解決するための手段】
【０００８】
本発明の情報端末装置は、操作入力がなされると、予め設定された規定時間だけ前記作動部に前記所定動作を実行させる作動制御部と、前記規定時間を設定する時間設定部と、を備える。ここで、前記時間設定部は、前記規定時間の経過後に前記所定動作に復帰させる操作入力に基づいて前記規定時間を設定する。
【発明の効果】
【０００９】
本発明によれば、ユーザの利便性低下を抑制しつつ、消費電力を低減させることができる情報端末装置を提供することができる。
【００１０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１１】
【図１】実施の形態に係る携帯電話機の外観構成を示す。
【図２】実施の形態に係る携帯電話機の全体構成を示すブロック図である。
【図３】実施の形態に係る省電力制御のフローチャートである。
【図４】実施の形態に係る復帰回数計測処理および規定時間設定処理のフローチャートである。
【図５】実施の形態に係る復帰回数Ｎを保存するためのテーブルを示す。
【図６】実施の形態に係る復帰回数計測処理および規定時間設定処理の変更例に係るフローチャートである。
【発明を実施するための形態】
【００１２】
以下、本発明の実施の形態について、図面を参照して説明する。図１は携帯電話機の外観構成を示す図であり、同図（ａ）は、第２キャビネットが開放した状態の携帯電話機の正面図、同図（ｂ）は同じ状態での側面図である。同図（ｃ）は同図（ｂ）のＡ−Ａ´断面図である。
【００１３】
携帯電話機は、第１キャビネット１と第２キャビネット２を備えている。第１キャビネット１には、キー入力部３が配されている。キー入力部３は、機器への各種の操作入力を検出する。
【００１４】
第１キャビネット１の上面には、キー入力部３を構成する操作キー群３ａが配されている。操作キー群３ａは、４個のメインキー３１と、方向キー３２と、決定キー３３と、１２個のテンキー３４によって構成されている。なお、キー入力部３は、後述するキー入力回路３５、キーバックライト３６（図２参照）をさらに備えている。
【００１５】
メインキー３１は、各種機能モード（カメラ撮影モード、メール送受信モード、インターネットモードなど）のアプリケーションを起動するためのキーや電話による通話開始、終了を行うためのキーである。通話を終了させるためのキーは、アプリケーションを終了させるためのＥＮＤキーとしても機能する。方向キー３２は、表示画面に表示された各種メニューから所望のメニューを選択する際に操作されるキーであり、決定キー３３は選択されたメニューの決定等を行うためのキーである。テンキー３４は、文字（ひらがな、カタカナ、アルファベット）や数字、記号の入力を行うためのキーである。テンキー３４は、主に文字等を入力するためのキーとして機能するが、実行されるアプリケーションによっては、方向キーなど、他のキーとして機能することもある。なお、テンキー３４の一部を、ＱＷＥＲＴＹキー等で構成してもよい。
【００１６】
第２キャビネット２にはディスプレイ２１が配されている。ディスプレイ２１は、後述のように液晶パネルと液晶パネルを照明するパネルバックライトにより構成されている。なお、ディスプレイ２１は、有機ＥＬにより構成されてもよい。ディスプレイ２１の表示画面側には、タッチセンサ２２が配されている。タッチセンサ２２は透明なシート状を有しており、タッチセンサ２２を透してディスプレイ２１の表示画面を見ることができる。
【００１７】
タッチセンサ２２は、マトリクス状に配された第１透明電極と第２透明電極とを備え、これら透明電極間の静電容量の変化を検出することによって、ユーザに触られた表示画面上の位置を検出し、その位置に応じた位置信号を出力する。なお、タッチセンサ２２は、静電容量式のタッチセンサに限られず、抵抗膜方式、感圧式等のタッチセンサであってもよい。
【００１８】
第２キャビネット２は、スライド機構部４によって、第１キャビネット１に対し図１のＸ軸方向にスライド可能に連結されている。図１（ｃ）に示すように、スライド機構部４は、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、スライド方向（図１のＸ軸方向）に沿って形成されている。ガイド板４１の突条４１ａは、ガイド溝４２に係合されている。
【００１９】
携帯電話機を閉じた状態では、図１（ｂ）に一点鎖線で示すように、第２キャビネット２が第１キャビネット１の上に略完全に重なっている。この状態（閉じた状態）では、第２キャビネット２の背後に操作キー群３ａの全てのキーが隠れた状態となる。第２キャビネット２は、ガイド板４１がガイド溝４２の終端位置に達するまでスライドする（開いた状態とする）ことができる。第２キャビネット２が完全に開くと、図１（ａ）に示すように、操作キー群３ａの全てのキーが外部に露出する。
【００２０】
全てのキーが隠れた状態において、携帯電話機への操作入力は、タッチパネル２２により行うことができる。このとき、ディスプレイ２１の表示画面上には、所定の位置にソフトキーの画像が表示される。
【００２１】
図２は、携帯電話機の全体構成を示すブロック図である。本実施の形態の携帯電話機は、上述した各構成要素の他、ＣＰＵ１００、カメラモジュール１０１、映像エンコーダ１０２、マイク１０３、音声エンコーダ１０４、キー入力回路３５、リアルタイムクロック（ＲＴＣ）１０５、通信モジュール１０６、メモリ１０７、バックライト駆動回路１０８、キーバックライト３６、映像デコーダ１０９、音声デコーダ１１０、通話スピーカ１１１、外部スピーカ１１２、バッテリー１１３、電源回路１１４を備えている。
【００２２】
カメラモジュール１０１は、ＣＣＤ等の撮像素子を有し、取り込んだ画像に応じた撮像信号を生成し、映像エンコーダ１０２へ出力する。映像エンコーダ１０２は、カメラモジュール１０１からの撮像信号を、ＣＰＵ１００が処理できるデジタルの撮像信号に変換してＣＰＵ１００へ出力する。
【００２３】
マイク１０３は、音声信号を電気信号に変換して音声エンコーダ１０４へ出力する。音声エンコーダ１０４は、マイク１０３からの音声信号を、ＣＰＵ１００が処理できるデジタルの音声信号に変換してＣＰＵ１００へ出力する。
【００２４】
キー入力回路３５は、操作キー群３ａの各キーが押されたときに、各キーに応じた入力信号をＣＰＵ１００へ出力する。ＲＴＣ１０５は、現在時刻をカウントしてＣＰＵ１００へ出力する。
【００２５】
通信モジュール１０６は、ＣＰＵ１００からの音声信号や画像信号、テキスト信号などを無線信号に変換し、アンテナ１０６ａを介して基地局へ送信する。また、アンテナ１０６ａを介して受信した無線信号を音声信号や画像信号、テキスト信号などに変換してＣＰＵ１００へ出力する。
【００２６】
メモリ１０７は、ＲＯＭおよびＲＡＭを含む。メモリ１０７には、ＣＰＵ１００に制御機能を付与するための制御プログラムが記憶されている。また、メモリ１０７には、カメラモジュール１０１で撮影した画像データや通信モジュール１０６を介して外部から取り込んだ画像データ、テキストデータ（メールデータ）などが所定のファイル形式で保存される。
【００２７】
キーバックライト３６は、操作キー群３ａの個々のキーを照明する。ディスプレイ２１は、液晶パネル２１ａと、液晶パネル２１ａに光を供給するパネルバックライト２１ｂとを備えている。
【００２８】
バックライト駆動回路１０８は、ＣＰＵ１００からの制御信号に応じた電圧信号をキーバックライト３６およびパネルバックライト２１ｂに供給する。映像デコーダ１０９は、ＣＰＵ１００からの映像信号を液晶パネル２１ａで表示できるアナログの映像信号に変換し、液晶パネル２１ａに出力する。
【００２９】
音声デコーダ１１０は、ＣＰＵ１００からの音声信号を通話スピーカ１１１で出力できるアナログの音声信号に変換し、通話スピーカ１１１に出力する。また、音声デコーダ１１０は、ＣＰＵ１００からの着信音、アラーム音等の各種報知音の音信号を外部スピーカ１１２で出力できるアナログの音信号に変換し、外部スピーカ１１２へ出力する。通話スピーカ１１１は、音声デコーダ１１０からの音声信号を音声として再生する。外部スピーカ１１２は、音声デコーダ１１０からの着信音等を再生する。
【００３０】
バッテリー１１３は、ＣＰＵ１００やＣＰＵ１００以外の携帯電話機の各部へ電力を供給するためのものであり、二次電池からなる。バッテリー１１３は、電源回路１１４に接続されている。
【００３１】
電源回路１１４は、バッテリー１１３の電圧を前記各構成部に必要な大きさの電圧に変換して各構成部に供給する。また、電源回路１１４は、外部電源の入力部（図示せず）を介して供給された電力をバッテリー１１３に供給して、バッテリー１１３を充電する。
【００３２】
ＣＰＵ１００は、カメラモジュール１０１、マイク１０３、キー入力回路３５、タッチセンサ２２など各部からの入力信号に基づいて、通信モジュール１０６、映像デコーダ１０９、音声デコーダ１１０などの各部に制御信号を出力することにより、通話処理や各種機能モードのアプリケーションを実行する。なお、ＣＰＵ１００には、後述の省電力制御に用いられるタイマー部１００ａが、その機能の一部として備えられている。
【００３３】
さて、本実施の形態の携帯電話機では、初動状態において、ディスプレイ２１に初期画面（メニュー画面）や待受け画面が表示されている。このような初動状態からキー入力部３やタッチパネル２２を用いた操作入力が行われることにより、操作入力に応じたアプリケーションが実行される。
【００３４】
初動状態やアプリケーションの実行時、通常はディスプレイ２１が定常の輝度で点灯している。しかし、ディスプレイ２１の消費電力は比較的大きいため、バッテリー１１３の使用時間をできるだけ長くするには、不要な状況において、ディスプレイ２１（パネルバックライト２１ｂ）の輝度を低くしたり、パネルバックライト２１ｂあるいはディスプレイ２１全体（液晶パネル２１ａおよびパネルバックライト２１ｂ）をオフしたりすることが望ましい。そこで、本実施の形態では、ディスプレイ２１による電力消費をできるだけ小さくすべく、以下に説明する省電力制御が行われる。
【００３５】
図３および図４は、本実施の形態に係る省電力制御のフローチャートである。図３は、省電力制御に係るメイン処理のフローチャートである。図４（ａ）は、省電力制御に係る復帰回数計測処理のフローチャートである。図４（ｂ）は、省電力制御に係る規定時間設定処理のフローチャートである。以下、図３および図４のフローチャートに従って処理内容を説明する。
【００３６】
処理が開始されると、ＣＰＵ１００は、キー操作（キーによる操作入力）が行われたか否かを判定する（Ｓ１１）。キー操作には、操作キー群３ａの操作の他、タッチパネル２２によるソフトキーの操作が含まれる。キー操作が行われると（Ｓ１１：ＹＥＳ）、ＣＰＵ１００は、ディスプレイ２１がオン状態にあるか否かを判定し（Ｓ１２）、オン状態にあれば（Ｓ１２：ＹＥＳ）、キー操作が終わると同時に経過時間Ｔのカウントを開始する（Ｓ１３）。経過時間Ｔは、タイマー部１００ａによりカウントされる。
【００３７】
次に、ＣＰＵ１００は、キー操作が行われたか否かを判定し（Ｓ１４）、キー操作が行われていなければ（Ｓ１４：ＮＯ）、経過時間Ｔが規定時間ＴＲに達したか否かを判定する（Ｓ１５）。規定時間ＴＲは、次のキー操作が行われない場合に、前のキー操作が行われてからディスプレイ２１をオフするまでの時間である。規定時間ＴＲは、後述する規定時間設定処理において設定される。
【００３８】
経過時間Ｔが規定時間ＴＲに達する前にキー操作が行われれば（Ｓ１４：ＹＥＳ）、処理が再びステップＳ１３に戻り、ＣＰＵ１００は、改めて経過時間Ｔのカウントを開始する。一方、キー操作が行われないまま、経過時間Ｔが規定時間ＴＲに達すると（Ｓ１５：ＹＥＳ）、ＣＰＵ１００はディスプレイ２１をオフする。即ち、パネルバックライト２１ｂを消灯するとともに液晶パネル２１ａの駆動を停止させる（Ｓ１６）。
【００３９】
このようにして、本実施の形態では、キー操作が行われない状態がしばらく続くと、ディスプレイ２１がオフするため、消費電力が低減される。このため、バッテリーの使用可能時間が長くなる。
【００４０】
その後、処理がステップＳ１１に戻り、ＣＰＵ１００は、キー操作が行われたか否かを判定する。
【００４１】
ディスプレイ２１がオフされている状態から、ユーザが次の操作入力を行う場合には、まずディスプレイ２１を復帰させるために任意のキーを操作する。ＣＰＵ１００は、キー操作がなされたと判定すると（Ｓ１１：ＹＥＳ）、このときディスプレイ２１はオフ状態にあるため（Ｓ１２：ＮＯ）、ディスプレイ２１をオンする（Ｓ１７）。その後は、再びステップＳ１３へと移行される。
【００４２】
なお、ステップＳ１６において、ＣＰＵ１００は、ディスプレイ２１全体をオフしているが、液晶パネル２１ａは駆動したまま、パネルバックライト２１ｂのみを消灯するようにしてもよい。また、パネルバックライト２１ｂを完全に消灯するのではなく、パネルバックライト２１ｂへ供給する電力を低減させて、その輝度を低下させるようにしてもよい。さらに、パネルバックライト２１ｂの輝度を低下させた後、さらに一定時間キー操作がなければパネルバックライト２１ｂを消灯するようにしてもよい。勿論、パネルバックライト２１ｂを消灯したときには、合わせて液晶パネル２１ａの駆動を停止してもよい。さらに、パネルバックライト２１ｂの輝度を低下させた後にパネルバックライト２１ｂを消灯するまでの時間を規定時間ＴＲと同様に設定するようにしてもよい。
【００４３】
さて、このようなメイン処理と並行して復帰回数計測処理および規定時間設定処理が実行される。
【００４４】
まず、図４（ａ）に示す復帰回数計測処理について説明する。ＣＰＵ１００は、図３のステップＳ１６の処理によってディスプレイ２１がオフしたか否かを監視し、ディスプレイ２１がオフしたと判定すると（Ｓ２１：ＹＥＳ）、ディスプレイ２１がオフしてからの経過時間Ｓのカウントを開始する（Ｓ２２）。経過時間Ｓは、ＣＰＵ１００のタイマー部１００ａによりカウントされる。
【００４５】
次に、ＣＰＵ１００は、経過時間Ｓが一定時間、たとえば１５秒に達するまでに、図３のステップＳ１７の処理によってディスプレイ２１が再びオンされたか否かを判定する（Ｓ２３、Ｓ２４）。
【００４６】
ユーザは、キー操作を中断している間にディスプレイ２１がオフしたとき、一連のキー操作を行っている最中であれば、すぐにディスプレイ２１を復帰させるべく、任意のキー操作を行う。この場合、経過時間Ｓが１５秒に達する前に、ディスプレイ２１がオンされる。
【００４７】
ＣＰＵ１００は、経過時間Ｓが１５秒に達する前に、ディスプレイ２１がオンされると（Ｓ２４：ＹＥＳ）、その回数、即ちディスプレイ２１をすぐに復帰させる操作入力があった回数を、復帰回数Ｎとしてカウントする（Ｓ３５）。
【００４８】
こうして、ディスプレイ２１をすぐに復帰させる操作入力がなされる度に、復帰回数Ｎがカウントされていく（Ｓ２１〜Ｓ２５）。
【００４９】
この間、ＣＰＵ１００は、ＲＴＣ１０５からの時刻を取得することにより日付が変わったか否かを判定する（Ｓ２６）。そして、日付が変われば、日付に対応付けて復帰回数Ｎの値を保存し（Ｓ２７）、復帰回数Ｎをゼロにリセットする（Ｓ２８）。
【００５０】
メモリ１０７には、図５に示すような、日付に対応して復帰回数Ｎを保存するためのテーブルが用意されている。このテーブルに予め決めた規定日数分たとえば３０日分の復帰回数Ｎが保存される。なお、３０日分のデータが保存されると、新たな日付の復帰回数Ｎは、最初の保存領域に上書きされていく。これにより、テーブルには、常に現在の日から溯って３０日分の復帰回数Ｎが日付毎に保存されることとなる。
【００５１】
次に、図４（ｂ）に示す規定時間設定処理について説明する。
【００５２】
ＣＰＵ１００は、最初に規定時間ＴＲをデフォルト値、たとえば１５秒に設定する（Ｓ３１）。規定時間ＴＲについて最初の更新が行われるまでは、デフォルト値が規定時間ＴＲとして利用される。最初の更新以降は更新した値が規定時間ＴＲとして利用される。
【００５３】
次に、ＣＰＵ１００は、規定時間ＴＲの更新タイミングになったか否かを判定する（Ｓ３２）。図５のテーブルに規定日数分（３０日分）の復帰回数Ｎが保存されるまでは規定時間ＴＲの更新が行われない。規定日数分の復帰回数Ｎが保存されれば、その後は、毎日、規定時間ＴＲの更新が行われる。この場合、たとえば、日付が変わったタイミングが、更新タイミングとされる。
【００５４】
ＣＰＵ１００は、更新タイミングになったと判定すると（Ｓ３２：ＹＥＳ）、３０日分の復帰回数Ｎの合計値ＮＴを算出する（Ｓ３３）。そして、合計値ＮＴが予め定められた上限基準値、たとえば１００回を超えていれば（Ｓ３４：ＹＥＳ）、規定時間ＴＲを相対的に長い時間、たとえば２０秒に設定する（Ｓ３５）。一方、合計値ＮＴが予め定められた下限基準値、たとえば１０回以下であれば（Ｓ３６：ＮＯ）、規定時間ＴＲを相対的に短い時間、たとえば１０秒に設定する（Ｓ３８）。また、合計値ＮＴが上限基準値以下であり且つ下限基準値を超えていれば（Ｓ３４：ＮＯ→Ｓ３６：ＹＥＳ）、規定時間ＴＲを上記２つの時間の間の時間、たとえば１５秒に設定する（Ｓ３７）。このように、復帰回数Ｎの合計値ＮＴが多いほど、即ちユーザがすぐにディスプレイ２１の復帰操作を行った頻度が多いほど、規定時間ＴＲが長い時間に設定される。
【００５５】
こうして、規定時間ＴＲが更新されれば、図３のステップＳ１５において、新たな規定時間ＴＲが用いられる。そして、この規定時間ＴＲに基づいてディスプレイ２１がオフされる。
【００５６】
図６（ａ）は、復帰回数計測処理の他の例に係るフローチャートであり、図６（ｂ）は、規定時間設定処理の他の例に係るフローチャートである。図４（ａ）の復帰回数計測処理に変えて、図６（ａ）の復帰回数計測処理を行うこともでき、図４（ｂ）の規定時間設定処理に変えて、図６（ｂ）の規定時間設定処理を行うこともできる。図４のフローチャートでは、日付が変わる毎に規定時間ＴＲに対する更新が行われたが、図６（ａ）、（ｂ）のフローチャートでは、所定の更新期間（たとえば、１０日）毎に規定時間ＴＲの更新が行われる。
【００５７】
まず、図６（ａ）に示す復帰回数計測処理について説明する。
【００５８】
この復帰回数計測処理では、図４（ａ）の復帰回数計測処理と同様、経過時間Ｓが１５秒になる前にディスプレイ２１が再びオンされると、復帰回数Ｎがカウントされる（Ｓ４１〜Ｓ４５）。
【００５９】
次に、ＣＰＵ１００は、後述する規定時間設定処理によって規定時間ＴＲが更新されたか否かを判定する（Ｓ４６）。ＣＰＵ１００は、規定時間ＴＲが更新されると、復帰回数Ｎをゼロにリセットして（Ｓ４７）、新たに復帰回数Ｎのカウントを開始する（Ｓ４１）。
【００６０】
次に、図６（ｂ）に示す規定時間設定処理について説明する。
【００６１】
ＣＰＵ１００は、最初は規定時間ＴＲをデフォルト値、たとえば１５秒に設定する（Ｓ５１）。規定時間ＴＲについて最初の更新が行われるまでは、デフォルト値が規定時間ＴＲとして利用される。最初の更新以降は、更新された値が規定時間ＴＲとして利用される。
【００６２】
次に、ＣＰＵ１００は、規定時間ＴＲの更新タイミングになったか否かを判定する（Ｓ５２）。たとえば、予め定められた更新期間、たとえば１０日間が経過する度に更新が行われるよう、更新タイミングが設定されている。
【００６３】
ＣＰＵ１００は、更新タイミングになったと判定すると（Ｓ５２：ＹＥＳ）、復帰回数計測処理でカウントされた復帰回数Ｎ、即ち更新期間内（１０日間）にカウントされた復帰回数Ｎを、上限基準値、たとえば１００回および下限基準値、たとえば１０回と比較する（Ｓ５４、Ｓ５６）。そして、復帰回数Ｎが１００回を超えていれば（Ｓ５４：ＹＥＳ）、規定時間ＴＲを前回の規定時間ＴＲから一定時間ΔＴ（たとえば１秒）だけ増加させる（Ｓ５５）。一方、復帰回数Ｎが１０回未満であれば（Ｓ５６：ＮＯ）、規定時間ＴＲを前回の規定時間ＴＲから一定時間ΔＴ（たとえば１秒）だけ減少させる（Ｓ５８）。また、復帰回数Ｎが上限基準値以下であり且つ下限基準値を超えていれば（Ｓ５４：ＮＯ→Ｓ５６：ＹＥＳ）、前回の規定時間ＴＲが増減されない（Ｓ５７）。このように、復帰回数Ｎ、即ちユーザがすぐにディスプレイ２１の復帰操作を行った頻度が一定範囲より高くなれば、規定時間ＴＲが増加され、復帰回数Ｎ、即ちユーザがすぐにディスプレイ２１の復帰操作を行った頻度が一定範囲より低くなれば、規定時間ＴＲが減少される。
【００６４】
以上、本実施の形態について説明したが、本実施の形態によれば、次のような作用効果を奏することができる。
【００６５】
本実施の形態によれば、次回のキー操作がないまま前回のキー操作から規定時間ＴＲが経過するまではディスプレイ２１（バックライト２１ｂ）がオンされ、その後はオフされる（あるいは輝度が低減される）。このとき、規定時間ＴＲは、ディスプレイ２１がオフされた後のユーザのキー操作の履歴、即ち、オフした後すぐにディスプレイ２１を再点灯させるキー操作が行われた頻度に応じて設定される。その頻度が多ければ、現在のディスプレイ２１のオフまでの時間がユーザにとって短すぎると判断されるため、規定時間ＴＲが長くされる。一方、その頻度が少なければ、現在のディスプレイ２１のオフまでの時間がユーザにとって十分な長さであり、もう少し短くできると判断されるため、規定時間ＴＲが短くされる。
【００６６】
このように、本実施の形態によれば、個々のユーザのキー操作の状況に合わせて規定時間ＴＲが設定されるので、ディスプレイ２１を定常状態でオンさせておく時間を個々のユーザにとって適度なものとでき、ユーザの利便性低下を抑制しつつ消費電力の低減を図ることができる。
【００６７】
即ち、本実施の形態によれば、操作入力がなされると、予め設定された規定時間だけ作動部が所定動作を実行するとともに、規定時間の経過後に所定動作に復帰させる操作入力に基づいて前記規定時間が設定される。規定時間は、所定動作に復帰させるユーザの操作入力が反映されたものとなるので、作動部による所定動作の実行時間を、個々のユーザにとって適度なものとすることができる。したがって、ユーザの利便性の低下を抑制しつつ、作動部の電力消費を効果的に抑制できる。
【００６８】
また、本実施の形態によれば、規定時間が経過した後、所定動作に復帰させる操作入力がなされるまでの時間に関する履歴に基づいて規定時間が設定される。このため、規定時間は、所定動作に復帰させる操作入力がなされるまでの時間に関する履歴が反映されたものとなる。たとえば、この履歴により、規定時間がユーザにとって短いと判断される場合には、規定時間が延ばされる。一方、この履歴により、規定時間がユーザにとって長いと判断される場合には、規定時間が短くされる。よって、作動部による所定動作の実行時間を、個々のユーザにとって適度なものとすることができる。
【００６９】
さらに、本実施の形態によれば、作動部が表示部とされるとともに、規定時間の経過後に表示部の輝度が低減されあるいは表示部が消灯される。この場合、表示部の消灯等が行われるまでの時間を、個々のユーザにとって適度なものとすることができる。
【００７０】
さらに、本実施の形態によれば、表示部の輝度が低減されあるいは表示部が消灯されてから予め定められた時間が経過するまでに復帰のための操作入力が行われた頻度に応じて規定時間が設定される。したがって、表示部の消灯等が行われるまでの時間を、個々のユーザにとって一層、適度なものとすることができる。
【００７１】
本発明の実施形態は、上記以外に種々の変更が可能である。たとえば、上記実施の形態では、ディスプレイ２１がオフしてから（規定時間ＴＲが経過してから）一定時間が経過するまでにディスプレイ２１を復帰させる操作入力が行われた回数（頻度）に基づいて規定時間ＴＲを設定するようにしている。しかしながら、規定時間ＴＲを設定する方法としては、これに限られるものではない。たとえば、規定時間ＴＲが経過してから復帰の操作入力がなされるまでの時間を履歴として保持し、これら時間の合計値あるいは平均値に基づいて、規定時間ＴＲを設定するようにしてもよい。この場合、復帰の操作入力がなされるまでの時間の合計値あるいは平均値が短いほど、ユーザにとって現在の規定時間ＴＲが短いと判断されるため、規定時間ＴＲが長くされる。
【００７２】
また、上記実施の形態では、操作入力が、操作キー群の３ａの各キーやタッチパネル２２を用いて行われている。しかし、これに限らず、音声や携帯電話機への振動によって操作入力が行われる構成とされてもよい。
【００７３】
また、上記実施の形態では、省電力制御によりディスプレイ２１を制御するようにしているが、これに限らず、ディスプレイ２１以外の作動部、たとえば、タッチセンサ２２、キーバックライト３６に対して省電力制御を適用することもできる。このとき、タッチセンサ２２がディスプレイ２１と同時にオフ（通電を停止）されるような制御とされてもよいが、ディスプレイ２１がオフされた後一定時間が経過してからタッチセンサ２２がオフされるような制御とされてもよい。また、ディスプレイ２１がオフされてからタッチセンサ２２がオフされるまでの時間が上記規定時間ＴＲと同様な手法により設定されてもよい。
【００７４】
さらに、本発明（省電力制御）を、カメラモードのアプリケーションに適用することもできる。この場合、ＣＰＵ１００による制御によって、カメラモードか起動しカメラモジュール１０１がオンすると、ディスプレイ２１には、カメラモジュール１０１が撮った映像がプレビュー画面として表示される。このとき、プレビュー画面起動中に操作入力がなされないとプレビュー画面が閉じられる（カメラモードが終了する）が、その終了までの時間（プレビュー時間）が、終了後に行われたカメラモードを復帰させる操作入力の履歴に応じて設定される。たとえば、終了後すぐに復帰の操作入力がなされた頻度が多いほど、プレビュー時間が長くされる。このような構成とすれば、ユーザの利便性低下を抑制しつつ、プレビュー画面が無駄に表示されたままになるのを抑制でき、消費電力を低減することができる。
【００７５】
また、上記実施の形態では、携帯電話機の消費電力をさらに低減すべく、着信音を設定するためのアプリケーションにおいて、以下のような省電力制御が行われてもよい。即ち、ユーザによって選択した着信音を試聴する操作入力がなされると、ＣＰＵ１００の制御によって、所定の出力時間だけ着信音が外部スピーカ１１２から出力される。このとき、着信音の出力中に停止の操作入力がなされれば、着信音の出力が停止されるが、出力停止のための操作入力の履歴に応じて出力時間が設定される。たとえば、出力停止の操作入力がなされるまでの時間が平均的に短いほど、出力時間が短くされる。このような構成とすれば、ユーザの利便性低下を抑制しつつ、着信音が無駄に出力されるのを抑制でき、消費電力を低減することができる。なお、この省電力制御は、振動による報知出力が選択される場合にも適用され得る。この場合、図示しない振動源の動作時間が、出力停止のための操作入力の履歴に応じて設定される。
【００７６】
さらに、本発明の情報端末装置は、携帯電話機に限られず、ＰＤＡ（Personal Digital Assistant）やパーソナルコンピュータ等であってもよい。
【００７７】
この他、本発明の実施の形態は、特許請求の範囲に示された技術的思想の範囲内において、適宜、種々の変更が可能である。
【符号の説明】
【００７８】
３      キー入力部
２１    ディスプレイ（作動部、表示部）
２２    タッチセンサ（作動部）
３６    キーバックライト（作動部）
１００  ＣＰＵ（作動制御部、時間設定部）
【図１】
2011015166.tif 000003
【図２】
2011015166.tif 000004
【図３】
2011015166.tif 000005
【図４】
2011015166.tif 000006
【図５】
2011015166.tif 000007
【図６】
2011015166.tif 000008